(57)【要約】【課題】  移動体用テレビ受信装置において、増幅器の利得を可変させるとともに、希望波以外の電波による増幅器への影響を受けないようにする。【解決手段】  利得制御部１７は、特定のチャンネルを示す選局情報ａ、車両の位置情報ｂおよびメモリ１７ａに記憶された各地の送信局の位置情報に基づいて、選局情報ａによって示される特定のチャンネルの放送波を送信する送信局と車両との間の距離を計算し、計算した送信局と車両との間の距離に応じたＡＧＣ信号（ＡＧＣ情報ｄ）によって増幅器１２の利得を制御する。【選択図】        図１
2006211126.tif 000002
【特許請求の範囲】
【請求項１】
放送波を受信するアンテナからの信号を増幅する増幅器を有し、当該増幅器によって増幅された信号から特定のチャンネルを受信して映像および音声を出力する移動体用テレビ受信装置であって、
各地の送信局の位置情報を記憶する記憶手段と、
前記特定のチャンネルの放送波を送信する送信局の位置情報を前記記憶手段から読み出し、その位置情報と、当該移動体用テレビ受信装置が搭載された移動体の位置情報とに基づいて、前記特定のチャンネルの放送波を送信する送信局と前記移動体との間の距離を計算する距離計算手段と、
前記距離計算手段によって計算された前記送信局と前記移動体との間の距離に基づいて前記増幅器の利得を制御する制御手段と、を備えたことを特徴とする移動体用テレビ受信装置。
【発明の詳細な説明】
【技術分野】
【０００１】
本発明は、自動車等の移動体に搭載される移動体用テレビ受信装置に関する。
【背景技術】
【０００２】
このようなテレビ受信装置は、テレビ放送の放送波を受信するアンテナと、アンテナから入力される信号を増幅する増幅器（アンテナアンプ）と、この増幅器によって増幅された信号からユーザのチャンネル操作によって特定された放送チャンネルを選局して受信するテレビ受信部を備えている。
【０００３】
また、このようなテレビ受信装置には、増幅器の利得が一定となるように制御するものや、アンテナから入力される信号の電力を検出する検出回路を備え、この検出回路によって検出された信号の電力に応じて増幅器の利得を可変させるものがある。
【発明の開示】
【発明が解決しようとする課題】
【０００４】
図３に、デジタルＵＨＦ放送の中継局ＡとアナログＵＨＦ放送の中継局Ｂの各放送カバーエリアを模式的に示した図を示す。このような中継局から送信される電波の電界強度は中継局からの距離に応じて弱くなり、図に示すように、各中継局Ａ、Ｂを中心としてそれぞれ強電界領域、中電界領域、弱電界領域の順に電界領域が広がっている。
【０００５】
上記したように増幅器の利得が一定となるように制御する構成のテレビ受信装置は、例えば、図３の強電界領域のように電界強度の強い領域に位置する場合、増幅器の出力電圧が飽和してしまい、増幅器の歪みによる映像の劣化や、ユーザの希望するチャンネルを受信できなくなってしまうといった状況が考えられる。
【０００６】
また、上記したようにアンテナから入力される信号の電力を検出し、検出した信号の電力に応じて増幅器の利得を可変させるようにした構成のテレビ受信装置は、例えば、図３の干渉エリアＣのように複数の中継局から送信される放送波が干渉する領域に位置する場合、検出回路によって希望波以外の電波（妨害波）の電力が検出され、増幅器の利得が本来の利得よりも小さくなってしまい、雑音による映像の劣化や、ユーザの希望するチャンネルを受信できなくなってしまうといった状況が考えられる。
【０００７】
本発明は上記問題に鑑みたもので、増幅器の利得を可変させるとともに、希望波以外の電波による増幅器への影響を受けないようにすることを目的とする。
【課題を解決するための手段】
【０００８】
上記目的を達成するため、請求項１に記載の発明では、放送波を受信するアンテナからの信号を増幅する増幅器を有し、当該増幅器によって増幅された信号から特定のチャンネルを受信して映像および音声を出力する移動体用テレビ受信装置であって、各地の送信局の位置情報を記憶する記憶手段と、前記特定のチャンネルの放送波を送信する送信局の位置情報を前記記憶手段から読み出し、その位置情報と、当該移動体用テレビ受信装置が搭載された移動体の位置情報とに基づいて、前記特定のチャンネルの放送波を送信する送信局と前記移動体との間の距離を計算する距離計算手段と、前記距離計算手段によって計算された前記送信局と前記移動体との間の距離に基づいて前記増幅器の利得を制御する制御手段と、を備えたことを特徴としている。
【０００９】
このように、利得制御手段は、選局情報によって示される特定のチャンネルの放送波を送信する送信局と移動体との間の距離に基づいて増幅器の利得を制御しているから、増幅器の利得を可変させるとともに、希望波以外の電波による増幅器への影響を受けないようにする。
【発明を実施するための最良の形態】
【００１０】
本発明の一実施形態に係る移動体用テレビ受信装置のブロック構成を図１に示す。この移動体用テレビ受信装置１は、車両に搭載され、複数の放送局または中継局（以下、放送局または中継局を送信局という）からの放送波を受信するアンテナ１１、このアンテナ１１からの信号を増幅する増幅器（図中ではＡＭＰと記す）１２、この増幅器１２によって増幅された信号から特定のチャンネルを受信するテレビ受信部（図中ではＴＶ受信部と記す）１３、テレビ受信部１３からの信号に応じた映像および音声を出力する出力部１４を備えている。
【００１１】
また、本実施形態の移動体用テレビ受信装置１は、選局制御部１５および利得制御部１７を備えており、利得制御部１７には、車両位置認識装置１６から車両の現在位置を示す位置情報ｂが入力される。この車両位置認識装置１６は、衛星からの信号を受信するＧＰＳアンテナ１６ａを用いて車両（移動体）の正確な現在位置を認識し、車両の現在位置を位置情報ｂとして利得制御部１７へ送信するもので、具体的には、地図上に自車マークを表示させる地図表示機能や走行案内を行う走行案内機能を備えたナビゲーション装置によって構成される。
【００１２】
上記した選局制御部１５には、ユーザの選局操作部（図示せず）の操作に応じた特定の放送チャンネル（放送局）を示す選局情報ａが入力される。選局制御部１５は、この選局情報ａに応じた物理チャンネル（周波数）を示す選局信号ｃを出力する。
【００１３】
また、利得制御部１７は、各地の送信局の位置情報（緯度、経度）、これらの送信局毎の物理チャンネル（周波数）、送信局のカバーエリア等が記憶されたメモリ（記憶手段）１７ａを備えている。利得制御部１７は、選局制御部１５から入力される選局信号ｃ、車両位置認識装置１６から入力される位置情報ｂおよびメモリ１７ａに記憶された各地の送信局の位置情報に基づいて、選局信号ｃによって示される物理チャンネルの放送波を送信する送信局と車両との間の距離を算出し、算出した距離に応じたＡＧＣ信号をＡＧＣ情報ｄとして出力する。なお、本実施形態における利得制御部１７は、Ｄ／Ａ変換回路を備え、このＤ／Ａ変換回路によってアナログ信号に変換したＡＧＣ信号を出力する。また、送信局と車両との間の距離が長いほどＡＧＣ信号の電圧は高く、送信局と車両との間の距離が短いほどＡＧＣ信号の電圧は低くなる。
【００１４】
増幅器１２は、利得制御部１７から入力されるＡＧＣ情報ｄに応じた利得でアンテナ１１からの信号を増幅する。なお、本実施形態における増幅器１２は、ＡＧＣ信号の電圧が高いほどその利得は大きく、ＡＧＣ信号の電圧が低いほどその利得は小さくなる。
【００１５】
テレビ受信部１３は、増幅器１２によって増幅された信号から選局情報によって示されるチャンネルを選局して受信するもので、選局制御部１５から入力される選局信号ｃによって示される放送チャンネルを選局するフロントエンド１３ａ、フロントエンド１３ａによって選局された放送チャンネルを復調する復調部１３ｂ、復調部１３ｂによって復調された信号を復号化するデコード部１３ｃを備えている。なお、デコード部１３ｃによって復号化された信号は、映像信号および音声信号としてテレビ受信部１３から出力される。
【００１６】
なお、上記した選局制御部１５および利得制御部１７は、個別の機能ブロックとして構成されるものに限らず、１つの機能ブロックとして構成されるようになっていてもよい。この場合、マイクロコンピュータ等の手段を用いたソフトウェアによって選局制御部１５および利得制御部１７を実現することができる。
【００１７】
次に、図２を参照して、移動体用テレビ受信装置１の選局制御部１５および利得制御部１７の各処理について説明する。なお、図２において、Ｓ１００は選局制御部１５の処理、Ｓ４００〜Ｓ４０８は利得制御部１７の処理を示し、Ｓ２００およびＳ３００は、それぞれテレビ受信部１３および出力部１４の作動を示している。
【００１８】
まず、選局制御部１５は、選局操作部から特定の放送チャンネルを示す選局情報ａが新たに入力されたか否かを判定する（Ｓ１００）。ユーザの選局操作部の操作に応じて選局操作部から選局情報ａが新たに入力される（Ｓ１００の判定がＹＥＳになる）と、選局情報ａに応じた物理チャンネル（周波数）を示す選局信号ｃ（物理チャンネル）をテレビ受信部１３へ出力する。
【００１９】
このことにより、テレビ受信部１３は、ユーザの選局操作部の操作によって設定されたチャンネル（ＣＨ）、すなわち、選局制御部１５から入力される選局信号ｃに応じた放送チャンネルを選局して受信し（Ｓ２００）、出力部１４は、テレビ受信部１３から出力される映像信号に応じた映像および音声信号に応じた音声を出力する（Ｓ３００）。
【００２０】
また、利得制御部１７は、選局制御部１５から選局信号ｃが新たに入力されたことを判定する（Ｓ４００の判定がＹＥＳになる）と、次に車両位置認識装置１６から車両の位置情報ｂを入力する。そして、車両位置認識装置１６から車両の位置情報ｂが入力される（Ｓ４０２の判定がＹＥＳになる）と、この車両の位置情報ｂ、選局制御部１５から入力された選局信号ｃおよび利得制御部１７のメモリ１７ａに記憶された各地の送信局の位置情報、送信局毎の物理チャンネルに基づいて選局信号ｃによって示される物理チャンネルの放送波を送信する送信局と車両との間の距離を計算する（Ｓ４０４）。具体的には、選局信号ｃによって示される物理チャンネルの放送波を送信する送信局の位置情報をメモリ１７ａから読み出し、読み出した送信局の位置情報と位置認識装置１６から入力された位置情報ｂに基づいて選局信号ｃによって示される物理チャンネルの放送波を送信する送信局と車両との間の直線距離を計算する。
【００２１】
次に、利得制御部１７は、計算した送信局と車両との間の距離に基づいて利得必要量を計算する（Ｓ４０６）。この利得必要量は、増幅器１２の利得を最適な値とするのに必要な利得の量で、送信局と車両との距離が長いほど大きく、また送信局と車両との距離が短いほど小さくなるように、送信局と車両との距離に応じて定められている。
【００２２】
次に、計算した利得必要量に応じたＡＧＣ信号をＤ／Ａ変換回路によってアナログ信号に変換してＡＧＣ情報ｄとして出力し（Ｓ４０８）、Ｓ４０２の判定へ戻る。利得制御部１７は、上記したＳ４０２〜Ｓ４０８の処理を繰り返すことによって、送信局と車両との間の距離に応じたＡＧＣ情報ｄによる増幅器１２の利得制御を行う。
【００２３】
このように、利得制御部１７は送信局と車両との間の距離に応じたＡＧＣ情報ｄにより増幅器１２の利得を制御するので、例えば、車両が送信局の近くの強電界領域に位置しても、この送信局から送信される電波による増幅器１２への影響を受けることなく放送波を受信することができる。また、希望波以外の電波の電界強度が強い場合でも、この希望波以外の電波による増幅器１２への影響を受けることなく放送波を受信することができる。
【００２４】
上記したように、利得制御部１７は、選局情報ａによって示される特定のチャンネルの放送波を送信する送信局と車両との間の距離を計算し、計算した送信局と車両との間の距離に応じたＡＧＣ信号によって増幅器１２の利得を制御するので、増幅器の利得を可変させるとともに、希望波以外の電波による増幅器への影響を受けないようにすることができる。また、車両が送信局の近くの強電界領域に位置する場合、増幅器１２の利得は小さくなるように制御されるため、増幅器１２は飽和することなく放送波を受信することができる。
【００２５】
なお、上記実施形態において、Ｓ４０４の処理が特定のチャンネルの放送波を送信する送信局と前記移動体との間の距離を計算する距離計算手段に相当し、Ｓ４０８の処理が距離計算手段によって計算された送信局と移動体との間の距離に基づいて増幅器の利得を制御する制御手段に相当している。
【００２６】
なお、本発明は上記実施形態に限定されるものではなく、本発明の趣旨に基づいて種々なる形態で実施することができる。
【００２７】
例えば、本実施形態において、移動体用テレビ受信装置が車両に搭載された例を示したが、例えば、船舶等に搭載されるものであってもよいし、人が携帯するものであってもよい。
【００２８】
また、上記実施形態において、利得制御部１７は、Ｄ／Ａ変換回路を備え、このＤ／Ａ変換回路によってＡＧＣ情報ｄをアナログ信号に変換して出力する例を示したが、デジタル信号のままＡＧＣ情報ｄを出力してもよい。この場合、増幅器１２は、デジタル信号のＡＧＣ情報ｄに基づく利得でアンテナ１１からの信号を増幅するように構成される。
【００２９】
なお、図２に示す処理の各ステップの処理は、それぞれの機能を実現する手段として把握されるものであり、上記した実施形態に示すようなソフトウェアによって構成されるものに限らず、ハードウェアにより構成されていてもよい。
【図面の簡単な説明】
【００３０】
【図１】本発明の一実施形態に係る移動体用テレビ受信装置の構成を示す図である。
【図２】選局制御部、テレビ受信部、出力部および利得制御部の各処理を示した図である。
【図３】デジタルＵＨＦ放送の中継局ＡとアナログＵＨＦ放送の中継局Ｂの各放送カバーエリアを模式的に示した図である。
【符号の説明】
【００３１】
１…移動体用テレビ受信装置、１１…アンテナ、１２…増幅器、１３…テレビ受信部、
１４…出力部、１５…選局制御部、１６…車両位置認識装置、
１６ａ…ＧＰＳアンテナ、１７…利得制御部、１７ａ…メモリ。
【図１】
2006211126.tif 000003
【図２】
2006211126.tif 000004
【図３】
2006211126.tif 000005